(57)【要約】【課題】成形シート内の錠剤を簡単に取り出す。【解決手段】成形シート収納基板３０Ａは、少なくとも第１基板３０ａと第２基板３０ｂを有する基板３０と、第１基板３０ａと第２基板３０ｂとの間に介在された成形シート８とを備える。成形シート８の収納部５ａは平面視で第２基板３０ｂの破断領域８３内に収まる。成形シート８の収納部５ａの面積は、第２基板３０ｂの破断領域８３の面積より小さくなっており、かつ収納部５ａの中心Ｐ１は破断領域８３の中心Ｐ２に対して偏心している。【選択図】図５
2019058349.tif 000002
【特許請求の範囲】
【請求項１】
第１基板と、第２基板とを有する基板と、
第１基板と第２基板との間に介在され、錠剤が収納された複数の収納部を有する錠剤用の成形シートとを備え、
前記第１基板に前記収納部が突出する開口を設け、前記第２基板のうち各収納部に対応する領域につなぎとつなぎ間の切欠きとにより囲まれた破断領域を設け、
前記成形シートの前記収納部は、平面視で前記破断領域内に収まり、前記収納部の面積は、前記破断領域の面積より小さくなっており、かつ前記収納部の中心は前記破断領域の中心に対して偏心している、成形シート収納基板。
【請求項２】
前記収納部の形状は、前記開口の形状と同一となっている、請求項１記載の成形シート収納基板。
【請求項３】
前記開口の中心は前記破断領域の中心に対して偏心している、請求項１または２記載の成形シート収納基板。
【請求項４】
前記第１基板または前記第２基板は導電回路を含む、請求項１乃至請求項３のいずれか記載の成形シート収納基板。
【請求項５】
第１基板と、第２基板とを有する基板と、
第１基板と第２基板との間に介在され、錠剤が収納された複数の収納部を有する錠剤用の成形シートとを備え、
前記第１基板に前記収納部が突出する開口を設け、前記第２基板のうち各収納部に対応する領域につなぎとつなぎ間の切欠きとにより囲まれた破断領域を設け、
前記成形シートの前記収納部は、平面視で前記破断領域内に収まり、前記収納部の面積は、前記破断領域の面積より小さくなっており、かつ前記収納部の中心は前記破断領域の中心に対して偏心し、前記第１基板または前記第２基板は導電回路を含む成形シート収納基板と、
前記導電回路に接続された通信モジュールとを備えた回路装置。
【請求項６】
第１基板と、第２基板とを有する基板と、
第１基板と第２基板との間に介在され、錠剤が収納された複数の収納部を有する錠剤用の成形シートとを備え、
前記第１基板に前記収納部が突出する開口を設け、前記第２基板のうち各収納部に対応する領域につなぎとつなぎ間の切欠きとにより囲まれた破断領域を設け、
前記成形シートの前記収納部は、平面視で前記破断領域内に収まり、前記収納部の面積は、前記破断領域の面積より小さくなっており、かつ前記収納部の中心は前記破断領域の中心に対して偏心し、前記第１基板は第１導電回路を含み、前記第２基板は第２導電回路を含む成形シート収納基板と、
前記第１導電回路または前記第２導電回路に接続された通信モジュールとを備え、
前記第２導電回路は一部が、破断領域において破断可能となっており、
前記通信モジュールはＩＣチップと、このＩＣチップに電源電圧を供給するボタン電池とを有し、
前記ＩＣチップは前記第２導電回路の破断した位置情報と、破断した時刻を時系列で記録する記録部と、
前記記録部を制御する制御部と、
外部のホスト装置との間で近接通信を行う無線通信部とを有する、情報記録装置。
【発明の詳細な説明】
【技術分野】
【０００１】
本発明は、成形シート収納基板、回路装置および情報記録装置に係り、とりわけ成形シート内の錠剤を簡単に取り出すことができるフレキシブル回路コネクタ、回路装置および情報記録装置に関する。
【背景技術】
【０００２】
第１基板と第２基板とを有する基板と、第１基板と第２基板との間に介在され、錠剤を収納した錠剤収納用の成形シートとを備えた成形シート収納基板が知られている。
【０００３】
錠剤収納用の成形シートは、一般にプレススルーパックともいわれ（ＰＴＰ）、このため成形シート収納基板はＰＴＰ包装体ともいうことができる。
【０００４】
このような成形シート収納基板では、成形シートは錠剤を収納する収納部を有し、第１基板には収納部が突出する開口が設けられ、第２基板のうち収納部に対応する領域に破断領域が設けられている。
【０００５】
使用者は第１基板の開口から突出する収納部を押圧し、錠剤により成形シートの裏面を破る。この際、収納部内の錠剤により更に第２基板の破断領域を破断させて錠剤を取出している。
【先行技術文献】
【特許文献】
【０００６】
【特許文献１】特開２０１２−１２０６１９
【発明の概要】
【発明が解決しようとする課題】
【０００７】
ところで最近は成形シートの収納部に収納される錠剤は小型のものが多くなり、収納部内に小さな錠剤を収納した場合、収納部を押圧しても錠剤により第２基板の破断領域を破断させることがむずかしく、錠剤を確実に取り出すことができないことがある。
【０００８】
本発明は、このような点を考慮してなされたものであり、成形シート内の錠剤を容易かつ簡単に取り出すことができる成形シート収納基板、回路装置および情報記録装置を提供することを目的とする。
【課題を解決するための手段】
【０００９】
本発明は、第１基板と、第２基板とを有する基板と、第１基板と第２基板との間に介在され、錠剤が収納された複数の収納部を有する錠剤用の成形シートとを備え、前記第１基板に前記収納部が突出する開口を設け、前記第２基板のうち各収納部に対応する領域につなぎとつなぎ間の切欠きとにより囲まれた破断領域を設け、前記成形シートの前記収納部は、平面視で前記破断領域内に収まり、前記収納部の面積は、前記破断領域の面積より小さくなっており、かつ前記収納部の中心は前記破断領域の中心に対して偏心している、成形シート収納基板である。
【００１０】
本発明は、前記収納部の形状は、前記開口の形状と同一となっている、成形シート収納基板である。
【００１１】
本発明は、前記開口の中心は前記破断領域の中心に対して偏心している、成形シート収納基板である。
【００１２】
本発明は、前記第１基板または前記第２基板は導電回路を含む、成形シート収納基板である。
【００１３】
本発明は、第１基板と、第２基板とを有する基板と、第１基板と第２基板との間に介在され、錠剤が収納された複数の収納部を有する錠剤用の成形シートとを備え、前記第１基板に前記収納部が突出する開口を設け、前記第２基板のうち各収納部に対応する領域につなぎとつなぎ間の切欠きとにより囲まれた破断領域を設け、前記成形シートの前記収納部は、平面視で前記破断領域内に収まり、前記収納部の面積は、前記破断領域の面積より小さくなっており、かつ前記収納部の中心は前記破断領域の中心に対して偏心し、前記第１基板または前記第２基板は導電回路を含む成形シート収納基板と、前記導電回路に接続された通信モジュールとを備えた回路装置である。
【００１４】
本発明は、第１基板と、第２基板とを有する基板と、第１基板と第２基板との間に介在され、錠剤が収納された複数の収納部を有する錠剤用の成形シートとを備え、前記第１基板に前記収納部が突出する開口を設け、前記第２基板のうち各収納部に対応する領域につなぎとつなぎ間の切欠きとにより囲まれた破断領域を設け、前記成形シートの前記収納部は、平面視で前記破断領域内に収まり、前記収納部の面積は、前記破断領域の面積より小さくなっており、かつ前記収納部の中心は前記破断領域の中心に対して偏心し、前記第１基板は第１導電回路を含み、前記第２基板は第２導電回路を含む成形シート収納基板と、前記第１導電回路または前記第２導電回路に接続された通信モジュールとを備え、前記第２導電回路は一部が、前記破断領域において破断可能となっており、前記通信モジュールはＩＣチップと、このＩＣチップに電源電圧を供給するボタン電池とを有し、前記ＩＣチップは前記第２導電回路の破断した位置情報と、破断した時刻を時系列で記録する記録部と、前記記録部を制御する制御部と、外部のホスト装置との間で近接通信を行う無線通信部とを有する、情報記録装置である。
【発明の効果】
【００１５】
本発明によれば、成形シートの収納部に収納された錠剤を容易かつ簡単に取り出すことができる。
【図面の簡単な説明】
【００１６】
【図１】図１は本発明の実施形態に係る情報記録装置の外観図。
【図２】図２は図１の情報記録装置の展開図。
【図３】図３は通信モジュールの概略構成を示すブロック図。
【図４】図４はＡＳＩＣの内部構成の一例を示すブロック図。
【図５】図５は情報記録装置の元となる紙基板を展開した図。
【図６Ａ】図６Ａは錠剤用の成形シートを示す斜視図。
【図６Ｂ】図６Ｂは錠剤用の成形シートを示す側面図。
【図７】図７は収納部と破断領域の関係を示す図。
【図８】図８は破断領域に対して押し込み試験を行った際の説明図。
【図９Ａ】図９Ａは本発明の変形例による収納部と破断領域の関係を示す図。
【図９Ｂ】図９Ｂは本発明の変形例による収納部と破断領域の関係を示す図。
【図９Ｃ】図９Ｃは本発明の変形例による収納部と破断領域の関係を示す図。
【発明を実施するための形態】
【００１７】
＜本発明の実施の形態＞
以下、本発明の実施の形態について、詳細に説明する。  
本実施形態は、患者が薬を服用した日時と服用後の具合を記録する情報記録装置であって、図１はその外観図である。図１の情報記録装置は、シート状の服薬記録カード１からなり、折り畳み式になっていて、展開すると図２のような情報入力面２が現れる。情報記録装置としての服薬記録カード１は後述する紙基板３０と、紙基板３０上に設けられた導電回路１８Ａと、この導電回路１８Ａに回路コネクタ９０を介して接続された無線送信可能な通信モジュール１０とを備えている（図３および図５参照）。
【００１８】
このうち紙基板３０と、この紙基板３０上に設けられた導電回路１８Ａとにより、回路基板７０が構成されている。なお、回路コネクタ９０は必ずしも設ける必要はなく、また回路コネクタ９０はフレキシブルなコネクタでも堅固なコネクタであってもよい。
【００１９】
服薬記録カードからなる情報記録装置１について更に述べる。服薬記録カード１は患者が病院での診察を終えて、処方箋に基づいて薬の調合が終わった段階で患者に渡されるものである。この服薬記録カード１では、患者が薬を服用した後に、患者自ら選択ボタンを押圧して、体の具合を記録できるようにしている。
【００２０】
図２の服薬記録カード１の情報入力面２は３面構成であり、第１面２ａにはスタートボタン３と取り消しボタン４が設けられ、第２面２ｂには患者が服用すべき薬（錠剤）５を収納する収納部５ａが配置され、第３面２ｃには患者の症状の度合いを入力するための選択ボタンが配置されている。第１面２ａの裏面側が図１の「服薬記録カード１」と記載された面である。
【００２１】
第３面２ｃには、薬の効用に関連する複数の症状が記載されている。図２の例では、（１）症状１、（２）症状２、（３）症状３、（４）症状４および（５）症状５の計５種類の症状が記載され、各症状ごとに、３通りの度合い（重度、中度、軽度）から一つを選択可能になっている。患者は、まず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、患者は、薬を服用した後に特定の症状の度合いを入力できる。患者は、必ずしも５種類の症状のすべてに回答する必要はなく、一部の症状のみに回答してもよい。
【００２２】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００２３】
なお、第３面２ｃに記載された症状とその度合いは、あくまで一例にすぎず、薬の種類によって任意に変更して構わない。
【００２４】
患者は、服薬記録カード１の使用を開始するときに、スタートボタン３を押圧する。その後、患者は、第２面２ｂに配置された錠剤５の収納部５ａを指で押し込んで、第２面２ｂの下面側から薬を取り出して、服用する。そして、服用後の症状の度合いに該当する選択ボタン６，７を押圧する。
【００２５】
患者が押圧したスタートボタン３、取り消しボタン４、錠剤５の各ケースおよび各選択ボタン６，７の情報は、服薬記録カード１内に内蔵された通信モジュール１０に自動的に記憶される仕組みになっている。
【００２６】
次に錠剤用の成形シート８について説明する。  
後述のように紙基板３０は最上層基板（第１基板）３０ａと、中間層基板３０ｃと、最下層基板（第２基板）３０ｂとを有している（図５参照）。そして最下層基板の３０ｂ上に中間層基板３０ｃが重ね合わされ、その後中間層基板３０ｃ上に錠剤５が収納された複数の収納部５ａを有する錠剤用の成形シート８が載置される。なお、本実施の形態において、中間層基板３０ｃと設けて例をしましたが、これに限らず、中間層基板３０はなくてもよい。
【００２７】
錠剤用の成形シート８は、例えばアルミニウム製の基材８ｂと、基材８ｂに接合された透明プラスチック製の収納体８ａとを有し、プラスチック製の収納体８ａは、錠剤５を収納する複数の、例えば６個の収納部５ａを含む。この錠剤用の成形シート８は、プレススルーパック（ＰＴＰ）ともいわれている。そして成形シート８の収納部５ａを指で押圧することにより、収納部５ａ内の錠剤５によって基材８ｂの取出領域が破断し、この基材８ｂの取出領域から錠剤５を取り出すことができる。
【００２８】
このような構成からなる錠剤用の成形シート８は、上述のように互いに重ね合わされた最下層基板３０ｂと中間層基板３０ｃ上に載置され、この成形シート８上に更に最上層基板３０ａが重ね合わされる。
【００２９】
このとき、成形シート８の錠剤５を収納した収納部５ａは、最上層基板３０ａに設けられた開口８１から外方へ突出するようになっている。
【００３０】
また、最下層基板３０ｂに設けられたスイッチ接点３３は、最下層基板３０ｂに形成された破断領域８３により囲まれる。
【００３１】
上述した構成要件のうち、少なくとも最上層基板３０ａと、最下層基板３０ｂと、成形シート８とにより成形シート収納基板３０Ａが構成される。
【００３２】
なお、上記実施の形態において、最下層基板３０ｂ上に中間層基板３０ｃを重ね合わせ、中間層基板３０ｃ上に成形シート８を載置した後、成形シート８上に最上層基板３０ａを重ね合わせた例を示したが、中間層基板３０ｃを設けることなく、最下層基板３０ｂ上に成形シート８を載置するとともに、この成形シート８上に最上層基板３０ａを重ね合わせてもよい。
【００３３】
次に最下層基板３０ｂに設けられた破断領域８３と、最上層基板３０ａに設けられた開口８１と、成形シート８の収納部５ａとの位置関係を述べる。
【００３４】
上述のように互いに重なり合う最下層基板３０ｂと中間層基板３０ｃ上に成形シート８を載置し、成形シート８上に最上層基板３０ａを重ねると、成形シート８の収納部５ａは最上層基板３０ａの開口８１から外方へ突出する。このとき、開口８１の形状と収納部５ａの形状は略同一となっており、このことにより最上層基板３０ａの開口８１により成形シート８の収納部５ａを精度良く位置決めすることができる。
【００３５】
例えば、成形シート８の収納部５ａの外形形状が直径８ｍｍの円形である場合、最上層基板３０ａの開口８１の外形形状も直径８ｍｍの円形となる。このとき、例えば成形シート８の収納部５ａに収納された錠剤５の外形形状は、直径６ｍｍの円形となっている。
【００３６】
他方、最下層基板３０ｂにはスイッチ接点３３を囲むように破断領域８３が設けられている。
【００３７】
この破断領域８３は、図７および図８に示すように円形形状をもち、破断領域８３は一対の円弧状切欠き８３ａ、８３ａと、切欠８３ａ、８３ａ間に形成されたつなぎ８３ｂとにより規定され、収納部５ａを押圧することにより、収納部５ａ内の錠剤５によってつなぎ８３ｂが容易に破断される。
【００３８】
図７に示すようにして、最下層基板３０ｂの破断領域８３と、成形シート８の収納部５ａとを平面視において重ね合わせた場合、収納部５ａは破断領域８３内に収まっており、かつ収納部５ａの面積は破断領域８３の面積に比べて小さくなっている。
【００３９】
例えば破断領域８３は直径１２ｍｍの円形形状をもつ。
【００４０】
さらにまた、最下層基板３０ｂの破断領域８３と、成形シート８の収納部５ａとを平面視において重ね合わせた場合、収納部５ａの中心Ｐ１は破断領域８３の中心Ｐ２に対して距離ｌだけ偏心している。このように収納部５ａの中心Ｐ１と破断領域８３の中心Ｐ２が偏心することにより、収納部５ａを押圧して成形シート８から排出された錠剤５により、後述のように破断領域８３を容易に破断することができる。
【００４１】
なお、中間層基板３０ｃのミシン目６３の形状は、収納部５ａの形状より大きく、かつ平面視において、収納部５ａは、ミシン目６３の形状の範囲内に収まっている。
【００４２】
ところで、収納部５ａの中心Ｐ１と破断領域８３の中心Ｐ２が偏心している場合、収納部５ａを押圧して錠剤５を取り出す際、錠剤５からの力が破断領域８３の中心Ｐ２に加わることはなく、錠剤５からの力が破断領域８３に偏心して加わることになり、破断領域８３に加わる力に近接するつなぎ８３ｂがまず破断し、残りのつなぎ８３ｂも順次破断する。このため、収納部５ａの中心Ｐ１と破断領域８３の中心Ｐ２を偏心させることにより、破断領域８３を容易かつ簡単に最下層基板８３ｃから破断することができる。
【００４３】
次に図３により通信モジュール１０について述べる。
【００４４】
図３は上述した無線通信可能な通信モジュール１０の概略構成を示すブロック図である。図３の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、樹脂基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００４５】
図３は通信モジュール１０の内部構成を機能化したブロック図であり、実際の各回路部品やパターンの配置やサイズ、形状、個数は任意に変更可能である。
【００４６】
図４はＡＳＩＣ１２の内部構成の一例を示すブロック図である。図４のＡＳＩＣ１２は、患者が押圧したスタートボタン３、取り消しボタン４、錠剤５の各収納部５ａおよび各選択ボタンを押圧した情報を時刻情報とともに時系列で記憶する記憶部２１と、記憶部２１に押圧情報を記憶する制御を行う制御部２２と、不図示のホストコンピュータとの間で無線通信を行う無線通信部２３とを有する。
【００４７】
記憶部２１は、患者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００４８】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行う。
【００４９】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００５０】
次に、本実施形態に係る服薬記録カード１の具体的構造について説明する。上述した服薬記録カード１は、１枚の紙基板を縦方向に三等分して折り畳んだ三層構造であり、その表面に図２に示す情報入力面２が現れるようにしている。これをさらに後述する折曲線６４に沿って横方向に三等分して折り畳むと図１に示す構造になる。以下では、大元の１枚の紙基板に形成される導電パターンについて説明する。
【００５１】
図５は服薬記録カード１の元となる紙基板３０を展開した図である。図５の紙基板３０を縦方向に延びる折り目６１で三等分に分割した各分割基板３０ａ，３０ｂ，３０ｃには、それぞれ異なる導電パターン１８や切り欠き等が設けられる。なお、これら３つの分割基板３０ａ〜３０ｃは、折り目６１で折り曲げ可能とされており、物理的に切り離されるものではない。また、各分割基板３０ａ，３０ｂ，３０ｃは上述のように折曲線６４を有し、各分割基板３０ａ，３０ｂ，３０ｃは横方向に延びる各々の折曲線６４を介して三等分に折り畳まれる。図５において、便宜上、各分割基板３０ａ，３０ｂ，３０ｃには２本の単一の折曲線６４が設けられているが単一の折曲線６４の代わりに一対の平行する折曲線６４，６４を設けてもよい（図１参照）。
【００５２】
図５の中央の分割基板３０ｂは、最下層に配置されて導電パターン１８が形成される最下層基板（第２基板）３０ｂである。その右側の分割基板３０ｃは、主に切り欠き６２とミシン目６３を有し、最下層基板３０ｂの上に配置される中間層基板３０ｃである。最下層基板３０ｂの左側の分割基板３０ａは、スイッチ接点の導通／遮断を行う導電パターン３８を有し、中間層基板３０ｃの上に配置される最上層基板（第１基板）３０ａである。なお、このミシン目６３の代わりに、穴を設けてもよい。
【００５３】
後述するように、三等分された最下層基板３０ｂに中間層基板３０ｃを折り畳んで熱圧着した後に、その上に錠剤５が収納された収納部５ａを含む成形シート８を載せ、その上に最上層基板３０ａを折り畳んで熱圧着することにより、図２の構造が得られる。したがって、図５に示す最上層基板３０ａの裏面側が、図２に示す情報入力面２になる。
【００５４】
最下層基板３０ｂの上に中間層基板３０ｃを折り畳んで熱圧着した後に、最下層基板３０ｂに通信モジュール１０が接合され、その上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、服薬記録カード１の完成状態では、外見に現れない。同様に、最上層基板３０ａ上の導電パターンも、中間層基板３０ｃの上に折り畳まれて熱圧着されるため、外見に現れない。
【００５５】
次に、最下層基板３０ｂの表面に形成された導電パターン１８について図５を用いて説明する。図５の導電パターン１８は、三等分された第１〜第３面２ａ〜２ｃからなる情報入力面２に対応した第１〜第３パターン面３０ｂ１〜３０ｂ３を有する。
【００５６】
第１パターン面３０ｂ１は、スタートボタン３に対応したスイッチ接点３１と、取り消しボタン４に対応したスイッチ接点３２とを有する。第２パターン面３０ｂ２は、錠剤５の各収納部５ａに対応した計６つのスイッチ接点３３を有する。第３パターン面３０ｂ３は、患者の症状および症状の程度を選択する各選択ボタンに対応した計１５個のスイッチ接点３４〜３７を有する。
【００５７】
これらスイッチ接点３１〜３７のうち、錠剤５の各収納部５ａに対応した計６つのスイッチ接点３３は初期状態で導通しており、それ以外の全てのスイッチ接点３１，３２，３４〜３７は初期状態で遮断されている。
【００５８】
錠剤５の各収納部５ａに対応したスイッチ接点３３は、収納部５ａを押圧して錠剤５を取り出す際に物理的に破断されて、電気的導通が遮断される。それ以外のスイッチ接点３１，３２，３４〜３７は、対応するボタンを押圧したときに、情報入力面２の裏面側に設けられた円形の導電パターン３８が対応するスイッチ接点に接触して、押圧している間だけ一時的に導通する。
【００５９】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００６０】
図５に示す各スイッチ接点３１〜３７の一端は、導電パターン１８を介して第１パターン面３０ｂ１上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、第１〜第３パターン面３０ｂ３の外縁に沿って、他の導電パターンとスイッチ接点を取り囲むように形成されている。
【００６１】
この接地パターン１８ａは、ノイズの低減を図るために、他の導電パターンよりも太く形成されている。
【００６２】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の回路基板７０が構成される。
【００６３】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【００６４】
第３パターン面３０ｂ３上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【００６５】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図５の例では、計５個のスイッチ接点が並列接続された第２スイッチ接点列３５〜３７が計３個設けられている。
【００６６】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【００６７】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【００６８】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【００６９】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。  
このように、本実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００７０】
ところで、上述のように各分割基板３０ａ，３０ｂ，３０ｃは、横方向に延びる各々の折曲線６４を介して三等分に折り畳まれる。
【００７１】
このうち最下層基板３０ｂには、導電パターン１８と接地パターン１８ａとからなる導電回路１８Ａが設けられている。また最下層基板３０ｂの折曲線６４近傍には、折曲線６４を介して最下層基板３０ｂを繰り返し折り曲げた場合でも、導電回路１８Ａが破断したり破損することを防止するため、フレキシブル回路コネクタ８０Ａ，８０Ｂが設けられている。
【００７２】
具体的には最下層基板３０ｂは、横方向に延びる２本の折曲線６４を介して三等分に折り畳まれるが、この場合、最下層基板３０ｂは２本の折曲線６４により、第１基板９１と第２基板９２と第３基板９５とに区画され、第１基板９１と第２基板９２との間に折曲線６４を跨いでフレキシブル回路コネクタ８０Ａが設けられ、第２基板９２と第３基板９５との間に折曲線６４を跨いでフレキシブル回路コネクタ８０Ｂが設けられている。
【００７３】
図５に示すように、導電回路１８Ａのうち第１基板９１上の導電回路は、第１導電回路９３となっており、第２基板９２上の第２導電回路９４となっている。
【００７４】
フレキシブル回路コネクタ８０Ａは最下層基板３０ｂのうち、折曲線６４を介して連結された第１基板９１と第２基板９２との間に折曲線６４を跨いで設けられ、第１基板９１側の第１導電回路９３と第２基板９２側の第２導電回路９４とを接続するものである。この場合、第１基板９１上の第１導電回路９３と第２基板９２上の第２導電回路９４は互いに離間し、フレキシブル回路コネクタ８０Ａを設けることにより、初めて導通するようになっている。しかしながら、フレキシブル回路コネクタ８０Ａがない場合でも、第１基板９１上の第１導電回路９３と第２基板９２上の第２導電回路９４を接続しておいてもよい。この場合、フレキシブル回路コネクタ８０Ａは、第１導電回路９３と第２導電回路９４が切断した際のバックアップ回路として機能する。
【００７５】
なお、上記実施の形態において、基板３０は最上層３０ａと、中間層基板３０ｃと、最下層基板３０ｂを有する例を示したが、中間層基板３０ｃは必ずしも設ける必要はない。また最上層基板３０ａに導電パターン３８を設け、最下層基板３０ｂに導電回路１８Ａを設けた例を示したが、最上層基板３０ａに導電パターン３８を設けることなく、かつ最下層基板３０ｂに導電回路１８Ａを設けなくてもよい。
【００７６】
＜本発明の実施例＞
（実施例）
次に本発明の具体的実施例について、図７および図８により説明する。  
まず図７に示すように、上述した本実施の形態と同様にして情報記録装置を作製した。この場合、最下層基板３０ｂと成形シート８とを重ね合わせ、平面視でみて成形シート８の収納部５ａが破断領域８３内に収まるようにした。このとき、収納部５ａは直径８ｍｍの円形形状をもち、破断領域８３は直径１２ｍｍの円形形状をもっていた。
【００７７】
また収納部５ａ内に直径６ｍｍの円形形状をもつ錠剤５が収納されている。
【００７８】
さらに収納部５ａの中心Ｐ１を、破断領域８３の中心Ｐ２に対して距離ｌだけ偏心させた。
【００７９】
なお、最上層基板３０ａの開口８１を、平面視でみて収納容器５ａと同一の位置に配置し、開口８１の形状を収納容器５ａの形状と同一とした。すなわち開口８１を直径８ｍｍの円形形状をもつよう形成した。
【００８０】
この状態で収納容器５ａを押圧し、収納容器５ａ内の錠剤５によって、最下層基板３０ｂの破断領域８３を破断した。
【００８１】
この際、収納容器５ａ内の錠剤５によって、破断領域８３の中心から外れた位置を押圧することができ、また破断領域８３の面積は収納部５ａの面積より大きいため、容易に破断領域８３を破断することができた。
【００８２】
次に図８により、破断領域８３に対してその中心から偏心した力を加えた場合の挙動について述べる。
【００８３】
図８に示す実施例は、一対の円弧状切欠き８３ａと、一対の円弧状切欠き８３ａ間に形成された一対のつなぎ８３ｂとを有する破断領域８３の破断強度を測定したものである。
【００８４】
図８に示すように、まず最下層基板３０ｂと同一の材料からなる基板を準備した。次にこの基板に一対の円弧状切欠き８３ａと、一対の円弧状切欠き８３ａ間に形成されたつなぎ８３ｂとにより囲まれた破断領域８３を形成し、破断領域の３点（１）（２）（３）に押込力を加えた。その場合の破断領域８３が破断する破断強度を以下の表に示す。
【表１】
2019058349.tif 000003
【００８５】
この表から明らかなように、破断領域８３の中央（点（１））に押込力を加えた場合、その破断強度は最大となり、破断領域８３のつなぎ８３ｂ近傍（点（２））に押込力を加えた場合、その破断強度はわずかに低下した。また破断領域８３の切欠き８３ａ近傍（点（３））に押込力を加えた場合、その破断強度は最も小さくなった。
【００８６】
このことからも破断領域８３の中心Ｐ２から外れた地点に押込力を加えることにより、破断領域８３も容易に破断することができることが分かった。
【００８７】
（比較例１）
次に本発明の比較例について以下説明する比較例１では、収納部５ａと破断領域８３が偏心することなく、収納部５ａの中心Ｐ１と破断領域８３の中心Ｐ２は平面視でみて同一位置にあった。  
それ以外は上述の実施例と同様にして情報記録装置を作製した。
【００８８】
次に収納容器５ａを押圧し、収納容器５ａ内の錠剤５によって最下層基板３０ｂの破断領域８３を破断した。この場合、破断領域８３を破断するため、大きな押込力が必要となった。
【００８９】
（比較例２）
比較例２では、収納部５ａを直径８ｍｍの円形状に形成し、破断領域８３を収納部５ａより小さな直径７〜８ｍｍの円形状に形成した。
【００９０】
それ以外は上述の実施例と同様にして情報記憶装置を作製した。
【００９１】
次に収納容器５ａを押圧し、収納容器５ａ内の錠剤５によって最下層基板３０ｂの破断領域８３を破断した。この場合、破断領域８３を破断させるため、大きな押込力が必要となった。
【００９２】
（比較例３）
比較例３では、収納部５ａと破断領域８３が偏心することなく、その収納部５ａの中心Ｐ１と破断領域８３の中心Ｐ２は平面視でみて同一位置にあった。また収納部５ａを直径８ｍｍの円形状に形成し、破断領域８３を収納部５ａより小さな直径７〜８ｍｍの円形状に形成した。  
それ以外は上述の実施例と同様にして情報記録装置を作製した。
【００９３】
次に収納容器５ａを押圧し、収納容器５ａ内の錠剤５によって最下層基板３０ｂの破断領域８３を破断した。この場合、破断領域８３を破断させるため、実施例、比較例１−２に比べてより大きな押込力が必要となった。
【００９４】
＜本発明の変形例＞
次に本発明の変形例について図９Ａ〜図９Ｃにより説明する。  
図１乃至図８に示す実施の形態において、収納容器５ａを円形に形成するとともに、破断領域８３を円形に形成する例を示したが、これに限らず、収納部５ａをだ円形に形成するとともに破断領域８３をだ円形に形成しても良い（図９Ａ参照）。
【００９５】
図９Ａに示すように、収納部５ａは破断領域８３内に収まっており、かつ収納部５ａの面積は破断領域８３の面積より小さい。
【００９６】
また、収納部５ａの中心Ｐ１は、破断領域８３の中心Ｐ２に対して偏心している。
【００９７】
あるいはまた、収納部５ａをだ円形に形成するとともに破断領域８３をだ円形に形成しても良い（図９Ｂ参照）。
【００９８】
図９Ｂに示すように、収納部５ａは破断領域８３内に収まっており、かつ収納部５ａの面積は破断領域８３の面積より小さい。
【００９９】
また、収納部５ａの中心Ｐ１は、破断領域８３の中心Ｐ２に対して偏心している。
【０１００】
あるいはまた、収納部５ａをだ円形に形成するとともに破断領域８３をだ円形に形成しても良い（図９Ｃ参照）。
【０１０１】
図９Ｃに示すように、収納部５ａは破断領域８３内に収まっており、かつ収納部５ａの面積は破断領域８３の面積より小さい。
【０１０２】
また、収納部５ａの中心Ｐ１は、破断領域８３の中心Ｐ２に対して偏心している。
【符号の説明】
【０１０３】
１  服薬記録カード
２  情報入力面
３  スタートボタン
４  取り消しボタン
５  薬（錠剤）
５ａ  収納部
６（６ａ〜６ｅ）  選択ボタン
７（７ａ〜７ｃ）  選択ボタン
８  成形シート
８ａ  基材
８ｂ  収納体
１０  通信モジュール
１１  樹脂基板
１２  ＡＳＩＣ
１３  水晶振動子
１４  ボタン電池
１５  スピーカ
１６  パッド
１７  アンテナパターン
１８  導電パターン
１８Ａ  導電回路
１８ａ  接地パターン
３０  紙基板
３０ａ，３０ｂ，３０ｃ  分割基板
３０ｂ１  第１パターン面
３０ｂ２  第２パターン面
３０ｂ３  第３パターン面
３１〜３７  スイッチ接点
３９  端子部
６１  折り目
６２  孔（切り欠き）
６３  ミシン目
６４  折曲線
７０  回路基板
８１  開口
８３  破断領域
８３ａ  一対の円弧状切欠き
８３ｂ  つなぎ
Ｐ１  収納部の中心
Ｐ２  破断領域の中心
【図１】
2019058349.tif 000004
【図２】
2019058349.tif 000005
【図３】
2019058349.tif 000006
【図４】
2019058349.tif 000007
【図５】
2019058349.tif 000008
【図６Ａ】
2019058349.tif 000009
【図６Ｂ】
2019058349.tif 000010
【図７】
2019058349.tif 000011
【図８】
2019058349.tif 000012
【図９Ａ】
2019058349.tif 000013
【図９Ｂ】
2019058349.tif 000014
【図９Ｃ】
2019058349.tif 000015